(57)【特許請求の範囲】
【請求項１】
帯状の吸収体を備えた環状物に形成される帯状部材、又は帯状の吸収体を備えた環状物に形成された帯状部材からなり、使い捨ておむつと共に着用される使い捨て補助吸収具であって、
前記帯状部材は、前記吸収体の一面である表面を被覆した液透過性の外層シートを備えており、
前記帯状部材には、前記外層シートの長手方向の一側縁部のみに、長手方向に沿って伸縮部材が配設されており、
前記帯状部材における前記伸縮部材の配設された前記一側縁部が、着用状態における前記使い捨ておむつのウエスト開口部の開口周縁部又は一対のレッグ開口部それぞれの開口周縁部に配されて、前記帯状部材が、着用者の胴回り部又は太股の鼠径部を覆って装着されるようになしてある使い捨て補助吸収具。
【請求項２】
前記吸収体は、その他面である裏面の少なくとも一部が、液透過性の外層シートで被覆されている請求項１に記載の使い捨て補助吸収具。
【請求項３】
前記吸収体は、その他面である裏面の少なくとも一部が、液不透過性の外層シートで被覆されている請求項１に記載の使い捨て補助吸収具。
【請求項４】
前記使い捨て補助吸収具は、帯状の吸収体を備えた環状物に形成される帯状部材からなり、
前記帯状部材には、その両端部を脱着自在に止着して該帯状部材の環状物を形成する止着手段が設けられている請求項１〜３の何れかに記載の使い捨て補助吸収具。
【請求項５】
前記使い捨て補助吸収具は、帯状の吸収体を備えた環状物に形成された帯状部材からなる請求項１〜３の何れかに記載の使い捨て補助吸収具。
【発明の詳細な説明】
【０００１】
【発明の属する技術分野】
本発明は、使い捨ておむつと共に着用される使い捨て補助吸収具に関し、詳しくは、使い捨ておむつと併用されることにより、使い捨ておむつのウエスト開口部又はレッグ開口部からの尿等の漏れを一層確実に防止することのできる使い捨て補助吸収具に関する。
【０００２】
【従来の技術及び発明が解決しようとする課題】
使い捨ておむつには、使用時（着用時）において、その着用状態におけるウエスト開口部及びレッグ開口部からの尿等の漏れを確実に防止することが要求されており、通常、使い捨ておむつのウエスト開口部及びレッグ開口部にギャザーを設ける等の工夫がなされている。
【０００３】
しかしながら、おむつ着用者の胴回り部（ウエスト）及び太股の鼠径部（付け根）の太さには個人差があり、胴回り部又は鼠径部の細い着用者の場合には、ギャザー等の工夫だけでは胴回り部又は鼠径部の締め付け（フィット性）が不十分となり、また、胴回り部又は鼠径部の太い着用者の場合には、胴回り部又は鼠径部が締め付け難くなり、おむつのウエスト開口部又はレッグ開口部からの漏れを確実に防止できない場合がある。特に、着用者が大人の場合には、胴回り部及び鼠径部の太さの個人差が幼児以上に大きく、漏れの確実な防止が一層困難であった。
【０００４】
従って、本発明の目的は、着用時における使い捨ておむつのウエスト開口部又は一対のレッグ開口部からの漏れを一層確実に防止することのできる使い捨て補助吸収具を提供することにある。
【０００５】
【課題を解決するための手段】
本発明は、環状物に形成される帯状部材、又は環状物に形成された帯状部材からなり、使い捨ておむつと共に着用される使い捨て補助吸収具であって、前記帯状部材は、吸収体及び該吸収体の表面を被覆した液透過性の外層シートを備えており、前記帯状部材の長手方向を、着用状態における前記使い捨ておむつのウエスト開口部の開口周縁部又は一対のレッグ開口部それぞれの開口周縁部及び着用者の胴回り部又は太股の鼠径部を覆って装着されるようになしてある使い捨て補助吸収具を提供することにより、前記の目的を達成したものである。
【０００６】
【発明の実施の形態】
以下、本発明の使い捨て補助吸収具を、その実施形態について、図面を参照しながら詳細に説明する。
【０００７】
第１実施形態の使い捨て補助吸収具１０は、図１及び図５に示すように、環状物に形成される帯状部材１からなり、使い捨ておむつ８と共に着用される胴回り装着用の使い捨て補助吸収具であって、前記帯状部材１は、帯状の吸収体２及び該吸収体２の表裏面を被覆した液透過性の不織布からなる外層シート３を備えており、前記帯状部材１の長手方向を、着用状態における前記使い捨ておむつ８のウエスト開口部８１の開口周縁部及び着用者Ｐの胴回り部Ｐ１を覆って装着されるようになしてある。尚、図５（ｂ）においては、使い捨ておむつ８の外形線を破線にて示している。
【０００８】
前記帯状部材１には、図１（ａ）に示すように、その長手方向の一方の側縁部１２に沿って２条の伸縮部材４が配設されており、この伸縮部材４と前記吸収体２とは、図１（ｂ）に示すように、該吸収体２の長手方向の側縁部２１で折り返した１枚の前記外層シート３により被覆されている。該伸縮部材４によって、側縁部１２に沿うギャザーが形成されている。
このギャザーによって、該帯状部材は、着用者Ｐの胴回り部Ｐ１又は太股の鼠径部Ｐ２にフィットする。
【０００９】
胴回り部装着用の使い捨て補助吸収具１０の大きさは、着用者の体の大きさに応じて調整されるが、一般に、帯状部材１の長手方向の長さＷは、４００〜１２００ｍｍが好ましく、５００〜１０００ｍｍが更に好ましい。また、帯状部材１の短手方向の長さＬは、３０〜１５０ｍｍが好ましく、５０〜１００ｍｍが更に好ましい。そして、帯状部材１における短手方向の長さＬに対する長手方向の長さＷの比（Ｗ／Ｌ）は、好ましくは２．５〜４０、更に好ましくは、５〜２０である。
【００１０】
また、前記帯状部材１は、図１（ａ）及び（ｂ）に示すように、その両端部１１ａ、１１ｂを脱着自在に止着して該帯状部材１の環状物を形成する止着手段であるファスニングテープ５が、一方の端部１１ａにおける外層シート３の一方の表面３１に設けられている。
【００１１】
前記ファスニングテープ５としては、「マジックテープ」（商品名、クラレ社製）等の機械的ファスナーのオス部材が用いられ、また、該オス部材と係合するメス部材としては、不織布からなる外層シート３の他方の表面３２が用いられ、帯状部材１の両端部１１ａ、１１ｂが、任意の位置において止着されるようになされている。
【００１２】
そして、帯状部材１は、図１（ｃ）に示すように、オス部材としてのファスニングテープ５と、メス部材としての不織布からなる外層シート３の他方の表面３２とを係合させて該帯状部材１の両端部１１ａ、１１ｂを止着することにより、該帯状部材１の環状物が形成されるようになされている。
【００１３】
環状物に形成される帯状部材からなる第１実施形態の使い捨て補助吸収具においては、以下に示すように、その構成を適宜変更することができる。
【００１４】
図２（ａ）に示すように、第１実施形態の使い捨て補助吸収具は、吸収体２が、外層シート３ａと対向する吸収体面を該外層シート３ａとは同一若しくは異なる液透過性の外層シート３ｂ（又は液不透過性の外層シート６）で被覆され、帯状部材の長手方向の両側縁部に伸縮部材４ａ、４ｂが配設され、帯状部材１の長手方向の吸収体部に伸縮部材４ｃが配設された構成とすることができる。
また、図２（ｂ）に示すように、液透過性の外層シート３ａを吸収体２の長手方向の側縁部２１で折り返し、該吸収体２の少なくとも一部を被覆し、前記吸収体２における前記外層シート３ａに被覆されなかった吸収体面を、液不透過性の外層シート６で被覆した構成とすることもできる。
【００１５】
また、第１実施形態の使い捨て補助吸収具は、図１及び図２（ａ）、（ｂ）に示された構成に限定されず、例えば、伸縮部材が設けられていない構成、伸縮部材が帯状部材の長手方向の一方の側縁部に沿って配設された構成等とすることもできる。
【００１６】
また、第１実施形態の使い捨て補助吸収具は、図５に示すように、帯状部材の長手方向を、着用状態における使い捨ておむつの一対のレッグ開口部それぞれの開口周縁部又はその近傍から太股の鼠径部を覆って装着される構成、即ち、鼠径部装着用の使い捨て補助吸収具１０’としても用いられる。
【００１７】
この鼠径部装着用の使い捨て補助吸収具１０’は、その大きさが、次に説明するように、鼠径部装着用に適した寸法とされている以外、前記胴回り部装着用の使い捨て補助吸収具１０と同じ構成である。
この鼠径部装着用の使い捨て補助吸収具１０’は、着用者の体の大きさに応じて調整されるが、一般に、帯状部材１の長手方向の長さＷは、２００〜１０００ｍｍが好ましく、４００〜８００ｍｍが更に好ましい。また、帯状部材１の短手方向の長さＬは、３０〜１５０ｍｍが好ましく、５０〜１００ｍｍが更に好ましい。そして、帯状部材１における短手方向の長さＬに対する長手方向の長さＷの比（Ｗ／Ｌ）は、好ましくは１．５〜３０、更に好ましくは、４〜２０である。
【００１８】
第２実施形態の使い捨て補助吸収具１０は、図１、図３及び図４に示すように、環状物に形成された帯状部材１からなり、使い捨ておむつ８と共に着用される使い捨て補助吸収具であって、前記帯状部材１は、吸収体２及び該吸収体２の表面を被覆した液透過性の外層シート３を備えており、前記帯状部材１の長手方向を、着用状態における前記使い捨ておむつ８のウエスト開口部８１の開口周縁部又はその近傍から着用者Ｐの胴回り部Ｐ１を覆って装着されるようになしてある。
【００１９】
この第２実施形態の使い捨て補助吸収具は、図３に示すように、１つの帯状部材１が、その両端部１１ａ、１１ｂを接合部７において固着された構成にすることができ、また、図４に示すように、２つの帯状部材１、１が、２カ所の接合部７、７において連結された構成にすることもできる。
尚、図３及び図４においては、使い捨て補助吸収具を概略図で示しているが、その帯状部材１は、図１又は図２（ａ）、（ｂ）に示す使い捨て補助吸収具における帯状部材と同様な構成を有するものである。
【００２０】
第２実施形態の使い捨て補助吸収具においても、第１実施形態の使い捨て補助吸収具と同様に、その大きさを胴回り部装着用に適した寸法又は鼠径部装着用に適した寸法にすることが好ましく、また、伸縮部材等を適宜設けることができる。
【００２１】
以下に、第１実施形態の使い捨て補助吸収具の第１使用形態について詳述する。先ず、図５（ａ）に示すように、図１に示す第１実施形態の胴回り部用使い捨て補助吸収具１０によって、着用者Ｐの胴回り部Ｐ１を覆って、同様に、第１実施形態の鼠径部用使い捨て補助吸収具１０’によって、着用者Ｐの鼠径部Ｐ２を覆う。この際、ファスニングテープ５の止着位置を適宜調整して、使い捨て補助吸収具１０、１０’が適度な締め付け性（フィット性）を有するようにする。また、胴回り部用使い捨て補助吸収具１０は、伸縮部材４によるギャザーが着用者Ｐの頭部寄り（図面上方）に配置され、鼠径部用使い捨て補助吸収具１０’は、伸縮部材４によるギャザーが着用者Ｐの足先寄り（図面下方）に配置される。
【００２２】
次に、図５（ｂ）に示すように、破線で示した展開型の使い捨ておむつ８を、使い捨て補助吸収具１０の一部が着用状態におけるウエスト開口部８１から露出するように、使い捨て補助吸収具１０の周方向を該ウエスト開口部８１の開口周縁部と重ね合わせると共に、使い捨て補助吸収具１０’の一部が着用時におけるレッグ開口部８２から露出するように、使い捨て補助吸収具１０’の周方向を該レッグ開口部８１の開口周縁部と重ね合わせて、着用者Ｐに着用する。
【００２３】
このようにして、使い捨ておむつ８と共に、胴回り部装着用使い捨て補助吸収具１０及び鼠径部装着用使い捨て補助吸収具１０’を着用すると、該使い捨て補助吸収具１０を介して、使い捨ておむつ８のウエスト開口部８１と着用者Ｐの胴回り部Ｐ１との間のフィット性が向上し、同様に、前記使い捨て補助吸収具１０’を介して、使い捨ておむつ８のレッグ開口部８２と着用者Ｐの鼠径部Ｐ２との間のフィット性も向上する。そして、着用者Ｐの胴回り部Ｐ１又は鼠径部Ｐ２近傍に伝わる尿等は、使い捨て補助吸収具１０、１０’において確実に吸収され、使い捨ておむつからの漏れが防止される。
【００２４】
尚、第１使用形態においては、図１に示すような防水シートの設けられていない使い捨て補助吸収具、又は図２（ｂ）に示すような防水シートの領域を制限した使い捨て補助吸収具が好ましく用いられる。
【００２５】
次に、本発明の使い捨て補助吸収具の他の使用形態として、使い捨ておむつの外側に使い捨て補助吸収具を装着する第２使用形態について、図５（ｂ）を用いて説明する。
先ず、図５（ｂ）において破線で示した展開型の使い捨ておむつ８を着用者Ｐに着用する。次に、胴回り部用使い捨て補助吸収具１０を、該使い捨て補助吸収具１０の一部が着用時におけるウエスト開口部８１の開口周縁部に重ね合わせるように、着用者Ｐの胴回り部Ｐ１を覆って装着する。同様に、鼠径部用使い捨て補助吸収具１０’を、該使い捨て補助吸収具１０’の一部が着用時におけるレッグ開口部８２の開口周縁部に重ね合わせるように、着用者Ｐの鼠径部Ｐ２を覆って装着する。
【００２６】
このようにして、使い捨ておむつ８と共に、使い捨て補助吸収具１０、１０’を着用すると、使い捨ておむつ８のウエスト開口部８１又はレッグ開口部８２から尿等が漏れ出したとしても、尿等はそれぞれ、胴回り部Ｐ１を覆った使い捨て補助吸収具１０又は鼠径部Ｐ２を覆った使い捨て補助吸収具１０’において吸収される。
【００２７】
第２使用形態においては、図２（ａ）に示すような、吸収体の裏面に液不透過性の外層シート６が設けられた使い捨て補助吸収具を用いると効果的である。
即ち、図２（ａ）に示す使い捨て補助具においては、液不透過性の外層シート６が設けられているため、使い捨て補助吸収具の外表面から尿等がしみ出すことを確実に防止することができる。また、該使い捨て補助吸収具においては、帯状部材１の両側縁部それぞれに沿って、伸縮部材４ａ、４ｂ、４ｃによるギャザーが形成されているので、該使い捨て補助吸収具が着用者Ｐの胴回り部Ｐ１及び太股の鼠径部Ｐ２にフィットすると共に使い捨ておむつ８の表面にもフィットし、使い捨ておむつ８の着用時におけるウエスト開口部８１及びレッグ開口部８２から漏れ出した尿等を確実に吸収することができる。
【００２８】
以上、本発明の使い捨て補助吸収具を、その好ましい実施形態について説明したが、本発明の使い捨て補助吸収具は、前述した実施形態に制限されることなく、本発明の趣旨を逸脱しない限り適宜変更が可能である。
本発明の実施形態においては、その裏面の少なくとも一部が液透過性の外層シート又は液不透過性の外層シートで被覆されていればよく、例えば、図１、図２（ａ）及び図２（ｂ）に示す実施形態のように、吸収体の裏面の全面が外層シートで被覆されていなくてもよい。また、本発明の実施形態においては、前記帯状部材の長手方向に沿って伸縮部材が配設されていれば、何れの実施形態のおいても、伸縮部材の配設位置及び配設本数は制限されず、例えば、図２（ａ）に示す実施形態のように、帯状部材の両側縁部及び吸収体部に伸縮部材が配設されていなくてもよく、また、図１及び図２（ｂ）に示す実施形態において、吸収体部にも伸縮部材が配設されていてもよい。
更に、吸収体の厚さ等の形態、液透過性の外層シートの形態、伸縮部材の形態・本数・配置（ギャザーの伸縮強さ）、液不透過性の外層シートの形態・被覆する領域及び止着手段（ファスニングテープ）の形態・個数等を適宜変更することができる。
【００２９】
吸収体２の形成素材としては、使い捨ておむつにおける吸収体として通常用いられる素材を、外層シート３、３ａ、３ｂの形成素材としては、使い捨ておむつにおける液透過性の表面シート等として通常用いられる素材を、適宜用いることができる。
【００３０】
伸縮部材４としては、それぞれ糸ゴムの様な線状のものの他、幅広の帯状（平ゴム含む）、薄膜状のもの、更にはフォーム材等を用いることができ、該伸縮部材４の形成素材としては、それぞれ、天然ゴムの他、スチレン−ブタジエン、ブタジエン、イソプレン、ネオプレン等の合成ゴム、ＥＶＡ、伸縮性ポリオレフィン、ウレタン等の伸縮性の素材を特に制限なく用いることができる。
【００３１】
液不透過性の外層シート６の形成素材としては、使い捨ておむつにおける防水シート（防漏シート）として通常用いられる素材を、特に制限なく用いることができる。
また、液不透過性の外層シート６は、吸収体の片面において、その全面を被覆するように設けてもよく、その一面の一部を被覆するように設けてもよい。ファスニングテープが機械的ファスナーのオス部材からなる場合に、それに対応する部分において液不透過性の外層シートを部分的に設けず不織布シートの表面を露出させて、前記オス部材をこの不織布シートの露出部に係合させる構成とすることもできる。
【００３２】
止着手段（ファスニングテープ）としては、外層シートの表面の適当な位置に機械的ファスナーのオス部材及びメス部材を配し、該オス部材と該メス部材とを係合させて止着するように構成することができる。
また、止着手段は、外層シートの表面に通常の粘着剤の塗布されてなるテープとすることもでき、該テープを液透過性の外層シート又は液不透過性の外層シートの表面の任意の位置に貼着して帯状部材の両端部を止着するように構成することもできる。
【００３３】
また、帯状部材１の両端部１１ａ、１１ｂにそれそれファスニングテープを設け、２個の該ファスニングテープを位置をずらして両端部１１ａ、１１ｂを止着し該帯状部材１を環状物に形成すると、該ファスニングテープ同士がそれぞれズレ止めの役目を果たすことになるので、使い捨て補助吸収具の締め付け（フィット性）効果を確実に維持することができる。
【００３４】
前述した第１使用形態及び第２使用形態においては、本発明の使い捨て補助吸収具を展開型の使い捨ておむつと組み合わせて使用しているが、本発明の使い捨て吸収具においては、これに限らず、パンツ型の使い捨ておむつと組み合わせて使用しても同様の効果が得られる。
使い捨ておむつのウエスト開口部は、パンツ型の使い捨ておむつのように、予めウエスト開口部が形成されている場合の他、展開型の使い捨ておむつのように、着用者に着用した際に形成されるウエスト開口部を含む。使い捨ておむつのレッグ開口部についても同様である。
【００３５】
本発明の使い捨て補助吸収具の使用形態は、前述した使用形態に限定されず、組み合わせる使い捨ておむつの構成、対象となる着用者（幼児／成人／老人）及び装着時の配置位置（使い捨ておむつの内側／外側に配置、伸縮部材を上方／下方に配置）等を適宜変更することができる。着用者の胴回り部又は鼠径部の何れか一方のみに使い捨て補助吸収具を装着してもよい。
【００３６】
【発明の効果】
本発明の使い捨て補助吸収具によれば、着用時における使い捨ておむつのウエスト開口部又は一対のレッグ開口部からの漏れを一層確実に防止することができる。
【図面の簡単な説明】
【図１】本発明の第１実施形態の使い捨て補助吸収具を示す図で、（ａ）は環状物に形成される前の帯状部材を示す正面図、（ｂ）は（ａ）に示すＡ−Ａ’断面図、
（ｃ）は帯状部材を環状物に形成する状態を示す斜視図である。
【図２】（ａ）及び（ｂ）は、本発明の第１実施形態の使い捨て補助吸収具の変形例を示す図で、図１（ｂ）相当する断面図である。
【図３】本発明の第２実施形態の使い捨て補助吸収具を示す概略斜視図である。
【図４】本発明の第２実施形態の使い捨て補助吸収具の変形例を示す概略斜視図である。
【図５】本発明の使い捨て補助吸収具の第１使用形態を示す概略正面図で、（ａ）は着用者に使い捨て補助吸収具を装着した状態を示す図、（ｂ）は更に展開型の使い捨ておむつを着用した状態を示す図である。
【符号の説明】
１  帯状部材
２  吸収体
３、３ａ、３ｂ、６  外層シート
４、４ａ、４ｂ、４ｃ  伸縮部材
５  ファスニングテープ（止着手段）
７  接合部
８  使い捨ておむつ
１０、１０’  使い捨て補助吸収具
Ｐ  着用者
Ｐ１  胴回り部
Ｐ２  鼠径部
【図１】
0004311860.tif 000002
【図２】
0004311860.tif 000003
【図３】
0004311860.tif 000004
【図４】
0004311860.tif 000005
【図５】
0004311860.tif 000006